(57)【要約】【課題】冬期は暖房具として、夏期は冷房具として、それぞれ使用でき、しかも、排泄物などで汚れても清掃がきわめて容易なペット用冷暖房具を提供する。【解決手段】ペット用冷暖房具は、熱良導性の合成樹脂製のケース体１と電熱ヒーター２とアルミニウム製の加温兼冷却板３とを有する。ケース体１は、上面に加温兼冷却板３が取外し可能に嵌る凹部１１を備えている。加温兼冷却板３は下面が凹部１１の底面１１ａと面接触した状態で凹部１１内に保持される。電熱ヒーター２はケース体１の内部に組み込まれて凹部１１の底面１１ａに接触した状態で固定されている。【選択図】図２
2005287374.tif 000002
【特許請求の範囲】
【請求項１】
熱良導性の合成樹脂製のケース体と電熱ヒーターと金属製の加温兼冷却板とを有し、前記ケース体は、上面に前記加温兼冷却板が取外し可能に嵌る凹部を備えており、前記加温兼冷却板は下面が前記凹部の底面と面接触した状態で凹部内に保持されるとともに、前記電熱ヒーターはケース体の内部に組み込まれて前記凹部の底面に接触した状態で固定されて成るペット用冷暖房具。
【請求項２】
前記ケース体は、上面に前記凹部を有する上ケースと、上ケースを支持する下ケースとから成り、上ケースの外周縁と下ケースの外周縁とが防水パッキングを中間に介在させて嵌め合わされている請求項１に記載されたペット用冷暖房具。
【請求項３】
前記電熱ヒーターは、その下方から断熱材が被せられている請求項１に記載されたペット用冷暖房具。
【請求項４】
前記加温兼冷却板は、アルミニウム板である請求項１に記載されたペット用冷暖房具。
【発明の詳細な説明】
【技術分野】
【０００１】
この発明は、猫や犬のようなペットを対象としたものであり、冬期は暖房具として、夏期は冷房具として、それぞれ使用し得るペット用冷暖房具に関する。
【背景技術】
【０００２】
従来、ペット用の暖房具として、中空の保温ケースの内側に保温ヒーターを設置したものが提案されている（例えば特許文献１参照）。前記保温ケースの上面は保温ヒータにより加温されるので、ペットは保温ケースの上面に乗って暖を採る。
【０００３】
【特許文献１】特許２９７１４６２号公報
【発明の開示】
【発明が解決しようとする課題】
【０００４】
しかし、この種の暖房具は、冬期に使用された後は用済みとなり、適所に保管する必要がある。また、保温ケースの上面がペットの排泄物などで汚されると、水洗いができず、清掃に手数がかかるという問題がある。
【０００５】
この発明は、上記問題に着目してなされたもので、冬期は暖房具として、夏期は冷房具として、それぞれ使用でき、しかも、ペットの排泄物などで汚れても清掃がきわめて容易なペット用冷暖房具を提供することを目的とする。
【課題を解決するための手段】
【０００６】
この発明によるペット用冷暖房具は、熱良導性の合成樹脂製のケース体と電熱ヒーターと金属製の加温兼冷却板とを有している。前記ケース体は、上面に前記加温兼冷却板が取外し可能に嵌る凹部を備えている。前記加温兼冷却板は下面が前記凹部の底面と面接触した状態で凹部内に保持されるとともに、前記電熱ヒーターはケース体の内部に組み込まれて前記凹部の底面に接触した状態で固定される。
【０００７】
この発明の上記した構成において、「加温兼冷却板」は、冬期には電熱ヒーターに通電して使用されるので、加温板として機能する、一方、夏期には電熱ヒーターに通電しないで使用されるので、冷却板として機能する。
また、この発明においては、加温兼冷却板の下面を凹部の底面と面接触させかつ電熱ヒーターを凹部の底面と接触させているが、これは、冬期の使用において、電熱ヒーターからケース体を経て加温兼冷却板への熱の伝導効率を高めるためである。
【０００８】
この発明の好ましい一実施態様においては、前記ケース体は、上面に前記凹部を有する上ケースと、上ケースを支持する下ケースとから成る。上ケースの外周縁と下ケースの外周縁とは防水パッキングを中間に介在させて嵌め合わされている。この実施態様によると、ケース体がペットの排泄物によって濡れても、或いはケース体を水洗いしても、ケース体の内部へ水分が進入するのを防止できる。
【０００９】
この発明の上記した構成において、前記電熱ヒーターは、その下方から断熱材を被せるのが望ましい。そのように構成すると、断熱材による保温機能により小さな出力の電熱ヒーターであっても使用可能である。この電熱ヒーターにはコードヒーター、ＰＴＣヒーターなど、種々のものが使用できる。
【００１０】
好ましい実施態様においては、前記加温兼冷却板として軽量で熱伝導率が良好なアルミニウム板を用いるが、これに限らず、ステンレスなどの金属板を用いることもできる。
【００１１】
上記した構成のペット用冷暖房具を暖房に用いる場合は電熱ヒーターに通電して発熱させる。電熱ヒーターの熱がケース体に伝わり、さらに加温兼冷却板に伝わることにより加温兼冷却板が加温される。ペットは加温兼冷却板の上面に乗って暖を採る。ペット用冷暖房具を冷房に用いる場合は電熱ヒーターに通電せずにそのまま用いる。ペットが加温兼冷却板の上面に乗ると、ペットの熱が加温兼冷却板に奪われて放熱されるので、ペットは冷やされる。
加温兼冷却板がペットの排泄物などにより汚されたときは、加温兼冷却板をケース体の凹部より外して水洗いする。ケース体が防水構造になっていれば、ケース体も水洗いできる。
【発明の効果】
【００１２】
この発明によると、冬期は暖房具として、夏期は冷房具として、一年を通して使用できるもので、保管の必要はない。しかも、加温兼冷却板が排泄物などで汚されても、ケース体より加温兼冷却板を外して水洗いでき、清掃が容易である。
【発明を実施するための最良の形態】
【００１３】
図１は、この発明の一実施例であるペット用冷暖房具の外観を示している。
図示例のペット用冷暖房具は、合成樹脂製のケース体１の内部に電熱ヒーター２が組み込まれるとともに、ケース体１の上面に加温兼冷却板３が取外し可能に取り付けられたものである。ケース体１からは側方へ電熱ヒーター２へ通電するための電源コード４が引き出されている。この電源コード４は、ペットが噛み付いてもそれに耐え得るように金属製の被覆が施されている。
【００１４】
前記ケース体１は、ＡＢＳ樹脂のような熱良導性の合成樹脂材をもって形成され、図２に示すように、上面に凹部１１を有する上ケース１０と、上ケース１０を支持する下ケース１２とから成る。
前記上ケース１０の凹部１１は平面形状が矩形状であり、加温兼冷却板３の厚みに相当する深さに形成されている。凹部１１の底面１１ａは水平かつ平坦であって、前記加温兼冷却板３は平坦な下面が前記凹部１１の底面１１ａと面接触した状態で凹部１１内の保持される。前記加温兼冷却板３は凹部１１からの取外しが可能になっており、凹部１１の開口縁には取り外しに際して加温兼冷却板３に指先を引っ掛けるための切欠１１ｂ，１１ｃが２カ所設けてある。
【００１５】
前記上ケース１０の外周部は下方へ傾斜し外周縁に下向きの係合片１４が設けられている。下ケース１２の外周縁には上面が開口する係合溝１３が設けられ、係合溝１３の内部に防水パッキング１５が嵌め込まれている。上ケース１０の外周縁と下ケース１２の外周縁とは上ケース１０の係合片１４を下ケース１２の係合溝１３へ係入することにより防水パッキング１５を中間に介在させた状態で嵌め合わされる。上ケース１０と下ケース１２とは複数箇所がねじ１６により止着され、それにより両者の嵌合状態が保持される。
【００１６】
前記加温兼冷却板３は、軽量で熱伝導率が良好なアルミニウム板であり、冬期には電熱ヒーター２によって加温されるので、加温板として機能する、一方、夏期には電熱ヒーター２によって加温されず、冷却板として機能する。
【００１７】
前記電熱ヒーター２はケース体１の内部に組み込まれ、前記上ケース１０の凹部１１の底面１１ａに接触した状態で固定される。この実施例では、電熱ヒーター２の発熱源としてコードヒータ２０を用いており、ケース体１の凹部１１の全域にわたって蛇行状態で貼設されている。前記ケース体１の凹部１１の底面１１ａには、図３に示すように、両面粘着シート２１の片面が内側より貼着され、他の片面にはコードヒータ２０を挟むようにアルミニウム箔２２が貼付されている。
なお、図中、２３はバイメタルより成る温度調節器、２４は温度ヒューズである。電熱ヒータ２は前記温度調節器２３によって一定温度に保たれる。また、温度ヒューズ２４は温度調節器２３の寿命などで電熱ヒーター２が過熱されたときに溶断する。
【００１８】
上記した構成の電熱ヒーター２は、その下面の全体に発泡材より成る断熱材５が被せられている。断熱材５を用いて保温機能を持たせることによって小さな出力の電熱ヒーター２であっても使用することが可能である。
【００１９】
上記した構成のペット用冷暖房具を暖房に用いる場合は電熱ヒーター２に通電してコードヒータ２０を発熱させる。電熱ヒーター２の熱がケース体１に伝わり、さらに加温兼冷却板３に伝わることにより加温兼冷却板３が加温される。この場合、加温兼冷却板３の下面を凹部１１の底面１１ａと面接触させかつ電熱ヒーター２を凹部１１の底面１１ａと接触させているので、電熱ヒーター２からケース体１を経て加温兼冷却板３への熱の伝導効率が高められる。図４（１）に示すように、ペットＣは加温兼冷却板３の上面に乗って暖を採る。
【００２０】
ペット用冷暖房具を冷房に用いる場合は電熱ヒーター２に通電せずにそのまま用いる。図４（２）に示すように、ペットＣが加温兼冷却板３の上面に乗ると、ペットＣの熱が加温兼冷却板３に奪われて放熱されるので、ペットＣは冷やされる。
加温兼冷却板３がペットの排泄物などにより汚されたときは、加温兼冷却板３をケース体１の凹部１１より外して水洗いする。また、ケース体１も防水構造になっているので、ケース体１も水洗いすることができる。
【図面の簡単な説明】
【００２１】
【図１】この発明の一実施例であるペット用冷暖房具の平面図である。
【図２】図２のＡ−Ａ線に沿う拡大断面図である。
【図３】ペット用冷暖房具の構成を分解して示す正面図である。
【図４】使用状態を示す斜視図である。
【符号の説明】
【００２２】
１    ケース体
２    電熱ヒーター
３    加温兼冷却板
５    断熱材
１０  上ケース
１１  凹部
１２  下ケース
１５  防水パッキング
【図１】
2005287374.tif 000003
【図２】
2005287374.tif 000004
【図３】
2005287374.tif 000005
【図４】
2005287374.tif 000006